(57)【要約】【課題】複数種類のフォントを搭載した表示装置において、複数種類のフォントを有効利用し、表示装置の表現力や視認性を向上させる。【解決手段】多数の発光ダイオード３が縦横マトリクス状に配置され、各発光ダイオード３の点灯により少なくとも文字を表示可能な表示部２と、入力装置１１から表示データを入力する入力部５と、２種類以上のフォントを記憶するフォント記憶部７と、前記表示データに含まれる文字コードを所定のフォントに変換して前記表示部２に表示させる制御部４とを備える表示装置１において、前記文字コードの変換に適用するフォントを、表示データに含まれるフォント指定コード、表示日時、設置方向又は表示方法に応じて自動的に切換えるフォント切換手段を設ける。【選択図】図２
2004302203.tif 000002
【特許請求の範囲】
【請求項１】
多数の発光体が縦横マトリクス状に配置され、各発光体の点灯により少なくとも文字を表示可能な表示部と、入力装置から表示データを入力する入力部と、２種類以上のフォントを記憶するフォント記憶部と、前記表示データに含まれる文字コードを所定のフォントに変換して前記表示部に表示させる制御部とを備える表示装置において、
前記文字コードの変換に適用するフォントを、前記表示データに含まれるフォント指定コードに基づいて切換えるフォント切換手段を設けたことを特徴とする表示装置。
【請求項２】
多数の発光体が縦横マトリクス状に配置され、各発光体の点灯により少なくとも文字を表示可能な表示部と、入力装置から表示データを入力する入力部と、２種類以上のフォントを記憶するフォント記憶部と、前記表示データに含まれる文字コードを所定のフォントに変換して前記表示部に表示させる制御部とを備える表示装置において、
前記文字コードの変換に適用するフォントを、表示日時毎に設定するフォント設定手段と、該フォント設定手段の設定に従い、表示日時に応じてフォントを自動的に切換えるフォント切換手段とを設けたことを特徴とする表示装置。
【請求項３】
多数の発光体が縦横マトリクス状に配置され、各発光体の点灯により少なくとも文字を表示可能な表示部と、入力装置から表示データを入力する入力部と、２種類以上のフォントを記憶するフォント記憶部と、前記表示データに含まれる文字コードを所定のフォントに変換して前記表示部に表示させる制御部とを備える表示装置において、
前記表示部の設置方向を検知する設置方向検知手段と、前記文字コードの変換に適用するフォントを、前記表示部の設置方向毎に設定するフォント設定手段と、該フォント設定手段の設定に従い、前記表示部の設置方向に応じてフォントを自動的に切換えるフォント切換手段とを設けたことを特徴とする表示装置。
【請求項４】
多数の発光体が縦横マトリクス状に配置され、各発光体の点灯により少なくとも文字を表示可能な表示部と、入力装置から表示データを入力する入力部と、２種類以上のフォントを記憶するフォント記憶部と、前記表示データに含まれる文字コードを所定のフォントに変換して前記表示部に表示させる制御部とを備える表示装置において、
前記文字コードの変換に適用するフォントを、前記表示部における表示方法毎に設定するフォント設定手段と、該フォント設定手段の設定に従い、前記表示部における表示方法に応じてフォントを自動的に切換えるフォント切換手段とを設けたことを特徴とする表示装置。
【請求項５】
請求項４記載の表示装置において、前記表示方法には、少なくとも文字をスクロール表示する第一の表示方法と、少なくとも文字を停止表示する第二の表示方法とが含まれることを特徴とする表示装置。
【請求項６】
請求項１〜５のいずれかに記載の表示装置において、前記フォント記憶部に記憶されるフォントのうち、少なくとも一種類のフォントは、色情報及び／又は階調情報を含んだフォントであることを特徴とする表示装置。
【請求項７】
請求項１〜６のいずれかに記載の表示装置において、前記フォント記憶部に記憶されるフォントの追加、変更及び／又は削除を行うフォント管理手段を設けたことを特徴とする表示装置。
【発明の詳細な説明】
【０００１】
【発明の属する技術分野】
本発明は、複数の発光体が縦横マトリックス状に配列された表示部に、文字、図形、記号、符号等の表示を行う表示装置の技術分野に技術分野に属するものである。
【０００２】
【従来の技術】
一般に、発光ダイオード等の発光体を縦横マトリックス状に配設し、各種の文字や図形、記号、符号等を表示する表示装置が多用されている。この種の表示装置は、店舗等における宣伝や装飾を目的として設置されるものであるため、その表現力や視認性を高めることが常に要求されている。
【０００３】
近年、上記のような要求に応えるために、複数種類のフォントを搭載した表示装置が提案されている（例えば、特許文献１〜３参照。）。
特許文献１に示される表示装置は、外部からの照度検出信号あるいは表示切替信号により、昼間用のフォントと夜間用のフォントを切替えるよう構成されたものである。
また、特許文献２に示される表示装置は、停電時等、必要な電力が途絶えた場合においても、表示素子の少ないフォントに切り換えたり、表示ドットの一部を間引きすることにより、表示状態を維持するようにしたものである。
さらに、特許文献３に示される表示装置は、表示部をデータ表示領域と項目表示領域に分け、表示領域毎に別のフォントを使用するようにしたものである。
【０００４】
【特許文献１】
特開２００２−２７９５８６号公報（第２図）
【特許文献２】
特開平９−１４６４７１号公報（第１図）
【特許文献３】
特開平７−４４１１９号公報（第８図）
【０００５】
【発明が解決しようとする課題】
しかしながら、上記特許文献１、２、３に示される表示装置は、複数種類のフォントを表示可能に構成されるものの、フォントの切換条件が、昼夜、停電、表示領域などに限られているため、せっかく複数種類のフォントを搭載しても、これが有効に利用されていないのが実状であった。例えば、店舗等における宣伝や装飾を目的として設置される表示装置では、特許文献１、２、３に示されるフォント切換を実施しても、表現力や視認性を向上させることは困難であり、ここに本発明が解決しようとする課題があった。
【０００６】
【課題を解決するための手段】
本発明は、上記の如き実情に鑑み、これらの課題を解決することを目的として創作されたものであって、多数の発光体が縦横マトリクス状に配置され、各発光体の点灯により少なくとも文字を表示可能な表示部と、入力装置から表示データを入力する入力部と、２種類以上のフォントを記憶するフォント記憶部と、前記表示データに含まれる文字コードを所定のフォントに変換して前記表示部に表示させる制御部とを備える表示装置において、前記文字コードの変換に適用するフォントを、前記表示データに含まれるフォント指定コードに基づいて切換えるフォント切換手段を設けたことを特徴とするものである。そして、この様にすることにより、表示データに、文字コードとともにフォント指定コードを記述するだけで、表示部の表示フォントを自由に切換えることが可能になる。しかも、表示データに、複数のフォント指定コードを記述したり、表示データに含まれる文字コード単位でフォントを切換えることができるため、表示装置の表現力を飛躍的に向上させることができ、特に、店舗等における宣伝や装飾を目的として設置される表示装置において、その表現力や視認性を高められるという利点がある。
また、多数の発光体が縦横マトリクス状に配置され、各発光体の点灯により少なくとも文字を表示可能な表示部と、入力装置から表示データを入力する入力部と、２種類以上のフォントを記憶するフォント記憶部と、前記表示データに含まれる文字コードを所定のフォントに変換して前記表示部に表示させる制御部とを備える表示装置において、前記文字コードの変換に適用するフォントを、表示日時毎に設定するフォント設定手段と、該フォント設定手段の設定に従い、表示日時に応じてフォントを自動的に切換えるフォント切換手段とを設けたことを特徴とするものである。そして、この様にすることにより、決まった日時に自動的にフォントの切換えを行うことができるため、その日時にフォント切換え操作を行う場合に比べ、手間が掛からない。特に、飲食店のランチタイムのように毎日決まった時刻に通常と違った表示を行いたい場合や、毎月決まった日にサービスを行っている場合などに有効である。
また、多数の発光体が縦横マトリクス状に配置され、各発光体の点灯により少なくとも文字を表示可能な表示部と、入力装置から表示データを入力する入力部と、２種類以上のフォントを記憶するフォント記憶部と、前記表示データに含まれる文字コードを所定のフォントに変換して前記表示部に表示させる制御部とを備える表示装置において、前記表示部の設置方向を検知する設置方向検知手段と、前記文字コードの変換に適用するフォントを、前記表示部の設置方向毎に設定するフォント設定手段と、該フォント設定手段の設定に従い、前記表示部の設置方向に応じてフォントを自動的に切換えるフォント切換手段とを設けたことを特徴とするものである。そして、この様にすることにより、表示部の表示を縦置き、横置きの別によって、フォントの変更を自動的に行うことができるため、設置方向別に適切なフォントを設定することによって、高い視認性を確保することができる。さらに、表示データを入力する際に設置方向を考慮する必要がなくなり、入力が容易になる。
また、多数の発光体が縦横マトリクス状に配置され、各発光体の点灯により少なくとも文字を表示可能な表示部と、入力装置から表示データを入力する入力部と、２種類以上のフォントを記憶するフォント記憶部と、前記表示データに含まれる文字コードを所定のフォントに変換して前記表示部に表示させる制御部とを備える表示装置において、前記文字コードの変換に適用するフォントを、前記表示部における表示方法毎に設定するフォント設定手段と、該フォント設定手段の設定に従い、前記表示部における表示方法に応じてフォントを自動的に切換えるフォント切換手段とを設けたことを特徴とするものである。そして、この様にすることにより、スクロール、停止等の表示方法に対応して自動的に適切なフォントが適用されるため、表示方法が変わるたびにフォントを設定し直すといった手間が省ける。さらに、表示方法に適したフォントをそれぞれ選択することによって、高い視認性を確保したまま様々な表示方法を利用できる。
また、前記の表示装置において、前記表示方法には、少なくとも文字をスクロール表示する第一の表示方法と、少なくとも文字を停止表示する第二の表示方法とが含まれることを特徴とするものである。そして、この様にすることにより、代表的な２つの表示方法において本発明を適用することができる。
また、上記の表示装置において、前記フォント記憶部に記憶されるフォントのうち、少なくとも一種類のフォントは、色情報及び／又は階調情報を含んだフォントであることを特徴とするものである。そして、この様にすることにより、表示される文字に色彩や明暗を加え、表示装置の表現力や視認性を高めることができる。特に、色情報及び階調情報を含むフォントを適用すれば、フルカラーの表示が可能になるため、表示装置の表現力を飛躍的に向上させることが可能になる。
また、これらの表示装置において、前記フォント記憶部に記憶されるフォントの追加、変更及び／又は削除を行うフォント管理手段を設けたことを特徴とする表示装置。そして、この様にすることにより、フォントの追加、変更及び削除によって様々なフォントの使用が可能になるため、様々なフォントを適用して表示装置の表現力を更に高めることができる。
【０００７】
【発明の実施の形態】
次に、本発明の実施の形態を図面に基づいて説明する。図１は、（Ａ）は縦置姿勢の表示装置を示す正面図、（Ｂ）は横置姿勢の表示装置を示す正面図である。この図に示すように、表示装置１の表示部２は、例えば、発光ダイオード３が縦横マトリックス状（行列状）に配列（例えば２４×２４）された表示パネル２ａを、３枚並べて長方形状に形成されている。発光ダイオード３は、単色のものだけではなくフルカラーを発光できるものが使用できる。単色の発光ダイオード３でも、階調制御により明暗を表現でき、また、フルカラーの発光ダイオード３によれば、階調制御によりフルカラー表示を行うことができる。また、赤色、青色、黄色の発光ダイオード３を１表示ドットとし、その階調制御によりフルカラー表示を行うようにしてもよい。上記のように構成される表示部２は、縦横いずれの姿勢でも設置することができ、設置場所や目的に応じて設置姿勢が選択される。
【０００８】
図２は、表示装置の制御システムを示すブロック図である。この図に示すように、表示装置１は、ＣＰＵ、ＲＯＭ、ＲＡＭなどで構成される制御部４を備える。制御部４には、表示部３、入力部５、情報記憶部６、フォント記憶部７、ＬＥＤ駆動回路８、タイマ９、姿勢検知センサ１０などが接続されている。入力部３は、入力装置１１から表示データなどを入力する部分である。入力装置１１としては、メモリーカード、フレキシブルディスク、ＣＤ−ＲＯＭなどの記憶媒体や、パーソナルコンピュータなどの入力端末が使用される。そして、入力部５に入力された表示データは、情報記憶部６に保存される。
【０００９】
情報記憶部６は、上記表示データのほか、各種の設定情報が記憶される。設定情報としては、日時毎の設定フォント情報、設置方向毎の設定フォント情報、表示方法毎の設定フォント情報などが含まれる。フォント記憶部７には、複数種類（例えば、ゴシック、明朝など）のフォントデータ（以下、単にフォントという。）が記憶されており、これらのフォントが、表示データに含まれる文字コードのフォント変換に適用される。フォント記憶部７に記憶されるフォントには、字体だけでなく、色情報や階調情報が含まれることが好ましい。この場合には、複数の色を含むカラー文字表示、フルカラーの文字表示、グラデーションなどの明暗のある文字表示などが可能になる。尚、ＬＥＤ駆動回路８は、制御部４の出力信号に応じて発光ダイオード３を駆動させる回路である。また、タイマ９は、制御部４が日時を判断するために設けられるものである。姿勢検知センサ１０は、表示部２の設置方向を検知するものである。
【００１０】
図３は、フォント指定コードに応じたフォント切換制御を示すフローチャート図である。この図に示すように、制御部４は、情報記憶部４から表示データを読み込むと共に、表示データにフォント指定コードが含まれる場合は、文字コードの変換に適用するフォントを、フォント指定コードに基づいて切換える。本実施形態では、適用フォント毎に表示制御ルーチン（ゴシック表示制御、明朝表示制御など）を定義し、対応するルーチンを適用することにより、指定フォントによる表示が行われるようになっている。これにより、文字コードとともにフォント指定コードを記述するだけで、表示部２の表示フォントを自由に切換えることが可能になる。また、表示データに、複数のフォント指定コードを記述すれば、文字コード単位の細かいフォント切換えも可能になる。
【００１１】
図４は、日時に応じたフォント切換制御を示すフローチャート図である。この図に示すように、制御部４は、情報記憶部６から表示データを読み込むと共に、情報記憶部６に記憶されている日時毎の設定フォント情報を参照する。そして、現在の日時に応じたフォントを判断し、このフォントを文字コードの変換に適用する。これにより、決まった日時に自動的にフォントの切換えを行うことができるため、その日時にフォント切換え操作を行う必要がない。特に、飲食店のランチタイムのように毎日決まった時刻に行う表示や、毎月決まったサービス日に行う表示などのフォントを予め設定することにより、その日時における表示を強調して、表示装置１による宣伝効果を高めることができる。
【００１２】
図５は、設置方向に応じたフォント切換制御を示すフローチャート図である。この図に示すように、制御部４は、情報記憶部６から表示データを読み込むと共に、情報記憶部６に記憶されている設置方向毎の設定フォント情報を参照する。そして、設置方向検出センサ１０の検出姿勢に適したフォントを文字コードの変換に適用すると共に、設置方向毎に定義された表示制御ルーチンを実行する。これにより、表示部２の設置方向に適したフォントを自動的に適用して、高い視認性を確保することができるだけでなく、表示データを入力する際に設置方向を考慮する必要がなくなり、表示データの入力が容易になる。
【００１３】
図６は、表示方法に応じたフォント切換制御を示すフローチャート図である。この図に示すように、制御部４は、情報記憶部６から表示データを読み込むと共に、情報記憶部６に記憶されている表示方法毎の設定フォント情報を参照する。そして、表示データに含まれる表示方法指定コード又は予め設定される表示方法に対応するフォントを適用すると共に、表示方法毎に定義される表示制御ルーチン（スクロール表示制御、停止表示制御など）を実行する。これにより、スクロール、停止等の表示方法に対応して自動的に適切なフォントが適用されるため、表示方法が変わるたびにフォントを設定し直すといった手間が省けるだけでなく、表示方法に適したフォントをそれぞれ選択することによって、高い視認性を確保したまま様々な表示方法を利用できる。
【００１４】
また、本実施形態の制御部４は、フォント記憶部７に記憶されるフォントの追加、変更及び削除を行うためのフォント管理機能を備えている。例えば、フォントの追加を行う場合は、入力装置１１から入力部５に対し、フォント追加コマンド及び追加フォントデータを入力する。制御部４は、フォント追加コマンドを入力すると、追加フォントデータをフォント記憶部７に追加記憶する。このような処理で、フォントの変更や削除も行うことができる。これにより、予め記憶したフォントだけでなく、様々なフォントの使用が可能になり、その結果、様々なフォントを適用して表示装置１の表現力を更に高めることができる。
【００１５】
叙述の如く構成された表示装置１においては、表示データに含まれるフォント指定コード、表示日時、設置方向又は表示方法に応じて、表示フォントの切換が行われることになる。これにより、複数種類のフォントを搭載した表示装置１において、これらのフォントを有効活用した表示を行うことが可能になる。特に、店舗等における宣伝や装飾を目的として設置される表示装置１において、その表現力や視認性を高めることにより、優れた宣伝効果や装飾効果を発揮することができる。
【図面の簡単な説明】
【図１】（Ａ）は縦置姿勢の表示装置を示す正面図、（Ｂ）は横置姿勢の表示装置を示す正面図である。
【図２】表示装置の制御システムを示すブロック図である。
【図３】フォント指定コードに応じたフォント切換制御を示すフローチャート図である。
【図４】日時に応じたフォント切換制御を示すフローチャート図である。
【図５】設置方向に応じたフォント切換制御を示すフローチャート図である。
【図６】表示方法に応じたフォント切換制御を示すフローチャート図である。
【符号の説明】
１    表示装置
２    表示部
３    発光ダイオ−ド
４    制御部
５    入力部
６    情報記憶部
７    フォント記憶部
８    ＬＥＤ駆動回路
９    タイマ
１０  設置方向検知センサ
１１  入力装置
【図１】
2004302203.tif 000003
【図２】
2004302203.tif 000004
【図３】
2004302203.tif 000005
【図４】
2004302203.tif 000006
【図５】
2004302203.tif 000007
【図６】
2004302203.tif 000008